(57)【要約】【課題】画質を高めることができる表示装置を得る。【解決手段】基本色光を発する第１のサブ画素、第２のサブ画素、および第３のサブ画素と、基本色光以外の色光を発する第４のサブ画素とを含む表示画素を複数有する表示部と、複数の表示画素のうちの注目画素が属する画素領域に含まれる複数の第４のサブ画素に対応する複数の第１の輝度情報、および表示画素における第１のサブ画素と第４のサブ画素との相対的な位置関係に基づいて、注目画素の第４のサブ画素に対応する第２の輝度情報を求め、注目画素の第４のサブ画素に対応する第１の輝度情報を、第２の輝度情報に置換する処理部とを備える。【選択図】図１
2014134731.tif 000002
【特許請求の範囲】
【請求項１】
基本色光を発する第１のサブ画素、第２のサブ画素、および第３のサブ画素と、前記基本色光以外の色光を発する第４のサブ画素とを含む表示画素を複数有する表示部と、
複数の前記表示画素のうちの注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、前記注目画素の前記第４のサブ画素に対応する第１の輝度情報を、前記第２の輝度情報に置換する処理部と
を備えた表示装置。
【請求項２】
前記処理部は、前記画素領域における前記第１の輝度情報を、前記第１のサブ画素の位置にそれぞれ配置した輝度情報マップを生成し、その輝度情報マップに基づいて前記注目画素の前記第４のサブ画素の位置における前記第２の輝度情報を補間により求める
請求項１に記載の表示装置。
【請求項３】
各表示画素の前記第１のサブ画素、前記第２のサブ画素、および前記第３のサブ画素にそれぞれ対応する３つの第１の基本輝度情報に基づいて、その表示画素の前記第４のサブ画素における発光率を求め、その発光率および前記３つの第１の基本輝度情報に基づいて、その表示画素における前記第１の輝度情報を求める輝度情報生成部をさらに備えた、
請求項１に記載の表示装置。
【請求項４】
前記輝度情報生成部は、前記３つの第１の基本輝度情報のうちの最小輝度情報に基づいて、前記発光率を求める
請求項３に記載の表示装置。
【請求項５】
前記発光率は、前記最小輝度情報の輝度レベルが低い場合には低く、前記最小輝度情報の輝度レベルが高い場合には高い
請求項４に記載の表示装置。
【請求項６】
前記輝度情報生成部は、前記発光率を表示画素間で平滑化し、その平滑化された発光率、および前記３つの第１の基本輝度情報に基づいて前記第１の輝度情報を求める
請求項３に記載の表示装置。
【請求項７】
前記輝度情報生成部は、前記発光率および３つの前記第１の基本輝度情報に基づいて、３つの前記第１の基本輝度情報に対応する３つの第２の基本輝度情報を生成する
請求項３に記載の表示装置。
【請求項８】
前記第１のサブ画素が発する色光に対する視感度は、前記第２のサブ画素が発する色光に対する視感度と同程度またはそれ以上であるとともに、前記第３のサブ画素が発する色光に対する視感度と同程度またはそれ以上である
請求項１に記載の表示装置。
【請求項９】
前記第１のサブ画素、前記第２のサブ画素、および前記第３のサブ画素は、緑色、赤色、および青色の色光をそれぞれ発し、
前記第４のサブ画素が発する色光に対する視感度は、前記第１のサブ画素が発する緑色の色光に対する視感度と同程度またはそれ以上である
請求項１に記載の表示装置。
【請求項１０】
前記第４のサブ画素は白色の色光を発する
請求項９に記載の表示装置。
【請求項１１】
基本色光を発する第１のサブ画素、第２のサブ画素、および第３のサブ画素と、前記基本色光以外の色光を発する第４のサブ画素とを含む表示画素を複数有する表示部における、注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、前記注目画素の前記第４のサブ画素に対応する第１の輝度情報を、前記第２の輝度情報に置換する処理部を備えた
画像処理装置。
【請求項１２】
基本色光を発する第１のサブ画素、第２のサブ画素、および第３のサブ画素と、前記基本色光以外の色光を発する第４のサブ画素とを含む表示画素を複数有する表示部における、注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、
前記注目画素の前記第４のサブ画素に対応する第１の輝度情報を、前記第２の輝度情報に置換する
画像処理方法。
【請求項１３】
表示装置と
前記表示装置に対して動作制御を行う制御部と
を備え、
前記表示装置は、
基本色光を発する第１のサブ画素、第２のサブ画素、および第３のサブ画素と、前記基本色光以外の色光を発する第４のサブ画素とを含む表示画素を複数有する表示部と、
複数の前記表示画素のうちの注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、前記注目画素の前記第４のサブ画素に対応する第１の輝度情報を、前記第２の輝度情報に置換する処理部と
を有する
電子機器。
【発明の詳細な説明】
【技術分野】
【０００１】
本開示は、画像を表示する表示装置、そのような表示装置に用いられる画像処理装置および画像処理方法、ならびにそのような表示装置を備えた電子機器に関する。
【背景技術】
【０００２】
近年、ＣＲＴ（Cathode Ray Tube）表示装置から液晶表示装置や有機ＥＬ（Electro- Luminescence）表示装置への置き換えが進んでいる。これらの表示装置は、ＣＲＴ表示装置に比べ、消費電力を低くすることができるとともに、薄型の表示装置を構成できるため、表示装置の主流になりつつある。
【０００３】
ところで、表示装置には、各画素を４つのサブ画素で構成するものがある。例えば、特許文献１には、各画素を、赤色（Ｒ）、緑色（Ｇ）、青色（Ｂ）、および白色（Ｗ）の４つのサブ画素により構成した液晶表示装置が開示されている。また、特許文献２には、同様に各画素を４つのサブ画素により構成した有機ＥＬ表示装置が開示されている。これらの表示装置では、例えば、白色を表示する際には、例えば、赤色（Ｒ）、緑色（Ｇ）、青色（Ｂ）の３つのサブ画素の代わりに、白色（Ｗ）のサブ画素を主に発光させることにより、輝度効率を高め、消費電力の低減を図るようになっている。
【先行技術文献】
【特許文献】
【０００４】
【特許文献１】特公平４−５４２０７号公報
【特許文献２】特開第４４３４９３５号公報
【発明の概要】
【発明が解決しようとする課題】
【０００５】
ところで、表示装置では、一般に高画質の実現が望まれており、さらなる画質の改善が期待されている。
【０００６】
本開示はかかる問題点に鑑みてなされたもので、その目的は、画質を高めることができる表示装置、画像処理装置、画像処理方法、および電子機器を提供することにある。
【課題を解決するための手段】
【０００７】
本開示の表示装置は、表示部と、処理部とを備えている。表示部は、基本色光を発する第１のサブ画素、第２のサブ画素、および第３のサブ画素と、基本色光以外の色光を発する第４のサブ画素とを含む表示画素を複数有するものである。処理部は、複数の表示画素のうちの注目画素が属する画素領域に含まれる複数の第４のサブ画素に対応する複数の第１の輝度情報、および表示画素における第１のサブ画素と第４のサブ画素との相対的な位置関係に基づいて、注目画素の第４のサブ画素に対応する第２の輝度情報を求め、注目画素の第４のサブ画素に対応する第１の輝度情報を、第２の輝度情報に置換するものである。
【０００８】
本開示の画像処理装置は、処理部を備えている。処理部は、基本色光を発する第１のサブ画素、第２のサブ画素、および第３のサブ画素と、基本色光以外の色光を発する第４のサブ画素とを含む表示画素を複数有する表示部における、注目画素が属する画素領域に含まれる複数の第４のサブ画素に対応する複数の第１の輝度情報、および表示画素における第１のサブ画素と第４のサブ画素との相対的な位置関係に基づいて、注目画素の第４のサブ画素に対応する第２の輝度情報を求め、注目画素の第４のサブ画素に対応する第１の輝度情報を、第２の輝度情報に置換するものである。
【０００９】
本開示の画像処理方法は、基本色光を発する第１のサブ画素、第２のサブ画素、および第３のサブ画素と、基本色光以外の色光を発する第４のサブ画素とを含む表示画素を複数有する表示部における、注目画素が属する画素領域に含まれる複数の第４のサブ画素に対応する複数の第１の輝度情報、および表示画素における第１のサブ画素と第４のサブ画素との相対的な位置関係に基づいて、注目画素の第４のサブ画素に対応する第２の輝度情報を求め、注目画素の第４のサブ画素に対応する第１の輝度情報を、第２の輝度情報に置換するものである。
【００１０】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１１】
本開示の表示装置、画像処理装置、画像処理方法、および電子機器では、第２の輝度情報に基づいて、表示部における第４のサブ画素が表示を行う。注目画素における第２の輝度情報は、その注目画素が属する画素領域に含まれる複数の第４のサブ画素に対応する複数の第１の輝度情報、および表示画素における第１のサブ画素と第４のサブ画素との相対的な位置関係に基づいて求められる。そして、注目画素における第１の輝度情報は、この第２の輝度情報に置換される。
【発明の効果】
【００１２】
本開示の表示装置、画像処理装置、画像処理方法、および電子機器によれば、注目画素における第２の輝度情報を、注目画素が属する画素領域に含まれる複数の第４のサブ画素に対応する複数の第１の輝度情報、および表示画素における第１のサブ画素と第４のサブ画素との相対的な位置関係に基づいて求め、注目画素における第１の輝度情報を、この第２の輝度情報に置換したので、画質を高めることができる。
【図面の簡単な説明】
【００１３】
【図１】本開示の第１の実施の形態に係る表示装置の一構成例を表すブロック図である。
【図２】図１に示したＥＬ表示部の一構成例を表すブロック図である。
【図３】図１に示したＲＧＢＷ変換部の一構成例を表すブロック図である。
【図４】図３に示したＧｗ算出部のルックアップテーブルを説明する説明図である。
【図５Ａ】図１に示したＲＧＢＷ変換部の一動作例を表す説明図である。
【図５Ｂ】図１に示したＲＧＢＷ変換部の他の動作例を表す説明図である。
【図６】フレーム画像の一例を表す説明図である。
【図７】図１に示したＧｗ算出部の一動作例を説明するための説明図である。
【図８】図１に示したフィルタ部の一動作例を説明するための説明図である。
【図９】平滑化処理後におけるサブ画素の一動作例を説明するための説明図である。
【図１０】図１に示したＧｗ算出部の他の動作例を説明するための説明図である。
【図１１】図１に示したフィルタ部の他の動作例を説明するための説明図である。
【図１２】平滑化処理後におけるサブ画素の他の動作例を説明するための説明図である。
【図１３】比較例に係るＲＧＢＷ変換部の一構成例を表すブロック図である。
【図１４】比較例に係るサブ画素の一動作例を説明するための説明図である。
【図１５】比較例に係るサブ画素の他の動作例を説明するための説明図である。
【図１６】輝度情報のマップの一例を表す説明図である。
【図１７】図１に示した補間処理部の一動作例を説明するための説明図である。
【図１８】図１に示した補間処理部の一動作例を説明するための説明図である。
【図１９】補間処理後におけるサブ画素の一動作例を説明するための説明図である。
【図２０】補間処理後におけるサブ画素の他の動作例を説明するための説明図である。
【図２１】本開示の第２の実施の形態に係る表示装置の一構成例を表すブロック図である。
【図２２Ａ】フレームレート変換前のフレーム画像を表す説明図である。
【図２２Ｂ】フレームレート変換後のフレーム画像を表す説明図である。
【図２３】図２１に示したフィルタの一動作例を表す模式図である。
【図２４Ａ】図２１に示した画像分離部の一動作例を表す模式図である。
【図２４Ｂ】図２１に示した画像分離部の他の動作例を表す模式図である。
【図２５Ａ】図２１に示した表示制御部の一動作例を表す模式図である。
【図２５Ｂ】図２１に示した表示制御部の他の動作例を表す模式図である。
【図２６】図２１に示した表示装置の一動作例を表す模式図である。
【図２７】実施の形態に係る表示装置が適用されたテレビジョン装置の外観構成を表す斜視図である。
【図２８】変形例に係る画素アレイ部の一構成例を表す説明図である。
【図２９】他の変形例に係る画素アレイ部の一構成例を表す説明図である。
【図３０】他の変形例に係る画素アレイ部の一構成例を表す説明図である。
【発明を実施するための形態】
【００１４】
以下、本開示の実施の形態について、図面を参照して詳細に説明する。なお、説明は以下の順序で行う。
１．第１の実施の形態
２．第２の実施の形態
３．適用例
【００１５】
＜１．第１の実施の形態＞
［構成例］
（全体構成例）
図１は、第１の実施の形態に係る表示装置の一構成例を表すものである。この表示装置１は、表示素子として有機ＥＬ表示素子を用いた、ＥＬ表示装置である。なお、本開示の実施の形態に係る画像処理装置、画像処理方法、および電子機器は、本実施の形態により具現化されるので、併せて説明する。表示装置１は、入力部１１と、画像処理部２０と、表示制御部１２と、ＥＬ表示部１３とを備えている。
【００１６】
入力部１１は、入力インターフェースであり、外部機器から供給された画像信号に基づいて画像信号Ｓｐ０を生成するものである。表示装置１に供給される画像信号は、この例では、赤色（Ｒ）の輝度情報ＩＲ、緑色（Ｇ）の輝度情報ＩＧ、および青色（Ｂ）の輝度情報ＩＢを含む、いわゆるＲＧＢ信号である。
【００１７】
画像処理部２０は、後述するように、画像信号Ｓｐ０に対して、ＲＧＢＷ変換処理や、補間処理などの所定の画像処理を行い、画像信号Ｓｐ１を生成するものである。
【００１８】
表示制御部１２は、画像信号Ｓｐ１に基づいて、ＥＬ表示部１３における表示動作のタイミング制御を行うものである。ＥＬ表示部１３は、表示素子として有機ＥＬ表示素子を用いた表示部であり、表示制御部１２による制御に基づいて表示動作を行うものである。
【００１９】
図２は、ＥＬ表示部１３の一構成例を表すものである。ＥＬ表示部１３は、画素アレイ部９３と、垂直駆動部９１と、水平駆動部９２とを有している。
【００２０】
画素アレイ部９３は、画素Ｐixがマトリックス状に配置されたものである。この例では、各画素Ｐixは、赤色（Ｒ）、緑色（Ｇ）、青色（Ｂ）、および白色（Ｗ）の４つのサブ画素ＳＰixにより構成されている。この例では、画素Ｐixにおいて、これらの４つのサブ画素ＳＰixを２行２列で配置している。具体的には、画素Ｐixにおいて、左上に赤色（Ｒ）のサブ画素ＳＰixを配置し、左下に緑色（Ｇ）のサブ画素ＳＰixを配置し、右上に白色（Ｗ）のサブ画素ＳＰixを配置し、右下に青色（Ｂ）のサブ画素ＳＰixを配置している。
【００２１】
なお、４つのサブ画素ＳＰixの色は、これらに限定されるものではない。例えば、白色のサブ画素ＳＰixに代えて、白色と同様に視感度が高い他の色のサブ画素ＳＰixを用いてもよい。より具体的には、赤色、緑色、青色のうち一番視感度が高い緑色と同等またはそれ以上に視感度が高い色（例えば黄色等）のサブ画素ＳＰixを用いることが望ましい。
【００２２】
垂直駆動部９１は、表示制御部１２によるタイミング制御に基づいて走査信号を生成し、ゲート線ＧＣＬを介して画素アレイ部９３に供給することにより、画素アレイ部９３内のサブ画素ＳＰixを順次選択して、線順次走査するものである。水平駆動部９２は、表示制御部１２によるタイミング制御に基づいて画素信号を生成し、データ線ＳＧＬを介して画素アレイ部９３に供給することにより、画素アレイ部９３の各サブ画素ＳＰixへ画素信号を供給するものである。
【００２３】
表示装置１は、このように４つのサブ画素ＳＰixにより画像を表示ことにより、消費電力を低減することができる。すなわち、例えば、赤色、緑色、および青色の３つのサブ画素を有する表示装置では、白色を表示する場合にはこれらの３つのサブ画素を発光させるが、表示装置１では、これに代えて、白色のサブ画素を主に発光させることにより、消費電力を低減することができる。
【００２４】
（画像処理部２０）
画像処理部２０は、ガンマ変換部２１と、色域変換部２２と、ＲＧＢＷ変換部２３と、補間処理部２４と、ガンマ変換部２５とを有している。
【００２５】
ガンマ変換部２１は、入力された画像信号Ｓｐ０を、線形なガンマ特性を有する画像信号Ｓｐ２１に変換するものである。すなわち、外部から供給される画像信号は、一般的な表示装置の特性に合わせてガンマ値が例えば２．２等に設定され、非線形なガンマ特性を有している。よって、このガンマ変換部２１は、画像処理部２０での処理を容易にするため、このような非線形なガンマ特性を線形なガンマ特性に変換する。ガンマ変換部２１は、例えばルックアップテーブルを有しており、このルックアップテーブルを用いてこのようなガンマ変換を行うようになっている。
【００２６】
色域変換部２２は、画像信号Ｓｐ２１により表現される色域および色温度を、ＥＬ表示部１３の色域および色温度に変換することにより、画像信号Ｓｐ２２を生成するものである。具体的には、色域変換部２２は、例えば３ｘ３マトリックス変換などを行うことにより、色域および色温度変換を行うようになっている。なお、入力信号の色域と、ＥＬ表示部１３の色域が一致している場合など、色域を変換する必要がない用途では、色温度を補正するための係数を用いて処理することにより、色温度の変換のみを行うようにしてもよい。
【００２７】
ＲＧＢＷ変換部２３は、ＲＧＢ信号である画像信号Ｓｐ２２に基づいて、ＲＧＢＷ信号を生成し、画像信号Ｓｐ２３として出力するものである。具体的には、ＲＧＢＷ変換部２３は、赤色（Ｒ）、緑色（Ｇ）、青色（Ｂ）の３色の輝度情報ＩＲ，ＩＧ，ＩＢを含むＲＧＢ信号を、赤色（Ｒ）、緑色（Ｇ）、青色（Ｂ）、白色（Ｗ）の４色の輝度情報ＩＲ２，ＩＧ２，ＩＢ２，ＩＷ２を含むＲＧＢＷ信号に変換するものである。
【００２８】
図３は、ＲＧＢＷ変換部２３の一構成例を表すものである。ＲＧＢＷ変換部２３は、乗算部３１と、最小値選択部３２と、Ｇｗ算出部３３と、フィルタ部３４と、乗算部３５，３６と、減算部３７とを有している。
【００２９】
乗算部３１は、画像信号Ｓｐ２２に含まれる各画素の輝度情報ＩＲ，ＩＧ，ＩＢに対して、それぞれ所定の定数を乗算するものである。具体的には、乗算部３１は、輝度情報ＩＲに対して定数“１／Ｋｒ”を乗算し、輝度情報ＩＧに対して定数“１／Ｋｇ”を乗算し、輝度情報ＩＢに対して定数“１／Ｋｂ”を乗算する。ここで、Ｋｒは、白色（Ｗ）のサブ画素ＳＰixを最高輝度で発光させたときの赤色（Ｒ）の成分の輝度を、赤色（Ｒ）のサブ画素ＳＰixの最高輝度を基準として表した値である。同様に、Ｋｇは、白色（Ｗ）のサブ画素ＳＰixを最高輝度で発光させたときの緑色（Ｇ）の成分の輝度を、緑色（Ｇ）のサブ画素ＳＰixの最高輝度を基準として表した値であり、Ｋｂは、白色（Ｗ）のサブ画素ＳＰixを最高輝度で発光させたときの青色（Ｂ）の光成分の輝度を、青色（Ｂ）のサブ画素ＳＰixの最高輝度を基準として表した値である。
【００３０】
最小値選択部３２は、乗算部３１から供給された３つの乗算結果のうちの最小のものを選択し、パラメータＩminとして出力するものである。
【００３１】
Ｇｗ算出部３３は、画素ごとのパラメータＩminに基づいて、その画素におけるＷ変換率Ｇｗを算出するものである。Ｗ変換率Ｇｗは、白色（Ｗ）のサブ画素ＳＰixを発光させる割合を示すものであり、この例では０以上１以下の値を有するものである。Ｇｗ算出部３３は、この例ではルックアップテーブルを有しており、このルックアップテーブルを用いて画素ごとにＷ変換率Ｇｗを算出するようになっている。
【００３２】
図４は、Ｇｗ算出部３３におけるルックアップテーブルの特性を表すものである。この例では、パラメータＩminは規格化されている。すなわち、パラメータＩminの最小値を“０”とし、パラメータＩminの最大値を“１”としている。Ｇｗ算出部３３におけるルックアップテーブルは、パラメータＩminが低い場合にはＷ変換率Ｇｗが低くなり、パラメータＩminが高い場合にはＷ変換率Ｇｗが高くなるものである。
【００３３】
フィルタ部３４は、Ｇｗ算出部３３から供給された画素ごとのＷ変換率Ｇｗを、フレーム画像Ｆ内で水平方向および垂直方向に平滑化し、画素ごとのＷ変換率Ｇｗ２として出力するものである。具体的には、このフィルタ部３４は、例えばＦＩＲ（Finite Impulse Response）フィルタにより構成されるものである。
【００３４】
乗算部３５は、パラメータＩminとＷ変換率Ｇｗ２とを乗算することにより、輝度情報ＩＷ２を生成するものである。
【００３５】
乗算部３６は、輝度情報ＩＷ２に、定数Ｋｒ，Ｋｇ，Ｋｂをそれぞれ乗算するものである。具体的には、乗算部３６は、輝度情報ＩＷ２に定数Ｋｒを乗算し（ＩＷ２×Ｋｒ）、輝度情報ＩＷ２に定数Ｋｇを乗算し（ＩＷ２×Ｋｇ）、輝度情報ＩＷ２に定数Ｋｂを乗算する（ＩＷ２×Ｋｂ）。
【００３６】
減算部３７は、画像信号Ｓｐ２２に含まれる輝度情報ＩＲから、乗算部３６による乗算結果の１つ（ＩＷ２×Ｋｒ）を減算して輝度情報ＩＲ２を生成し、画像信号Ｓｐ２２に含まれる輝度情報ＩＧから、乗算部３６による乗算結果の１つ（ＩＷ２×Ｋｇ）を減算して輝度情報ＩＧ２を生成し、画像信号Ｓｐ２２に含まれる輝度情報ＩＢから、乗算部３６による乗算結果の１つ（ＩＷ２×Ｋｂ）を減算して輝度情報ＩＢ２を生成するものである。
【００３７】
図５Ａは、ＲＧＢＷ変換部２３におけるＲＧＢＷ変換の一例を表すものであり、図５Ｂは、そのＲＧＢＷ変換の他の例を表すものである。以下では、説明の便宜上、定数Ｋｒ，Ｋｇ，Ｋｂは“１”として説明する。
【００３８】
図５Ａに示した例では、輝度情報ＩＲ，ＩＧ，ＩＢのうち輝度情報ＩＢの輝度レベルが一番低いため、最小値選択部３２は、この輝度情報ＩＢをパラメータＩminとして選択する。そして、Ｇｗ算出部３３は、このパラメータＩminに基づいて、図４に示したようなルックアップテーブルを用いてＷ変換率Ｇｗを求め、フィルタ部３４が、そのＷ変換率Ｇｗを平滑化してＷ変換率Ｇｗ２を生成する。そして、乗算部３５は、このパラメータＩminとＷ変換率Ｇｗ２とを乗算することにより（Ｉmin×Ｇｗ２）、輝度情報ＩＷ２を生成する。
【００３９】
図５Ｂに示した例でも、図５Ａと同様に、最小値選択部３２は、輝度情報ＩＢをパラメータＩminとして選択し、Ｇｗ算出部３３は、このパラメータＩminに基づいてＷ変換率Ｇｗを求め、フィルタ部３４が、そのＷ変換率Ｇｗを平滑化してＷ変換率Ｇｗ２を生成する。その際、図５Ａの場合に比べて、パラメータＩminが低いため、Ｇｗ算出部３３により算出されるＷ変換率Ｇｗも低くなり、Ｗ変換率Ｇｗ２も低くなる。そして、乗算部３５は、パラメータＩminと、この低いＷ変換率Ｇｗ２とを乗算することにより、輝度情報ＩＷ２を生成する。
【００４０】
このように、Ｇｗ算出部３３は、パラメータＩminが低い場合（図５Ｂ）には、パラメータＩminが高い場合（図５Ｂ）に比べ、白色のサブ画素ＳＰixを発光させる割合（Ｗ変換率Ｇｗ）を下げる。そして、フィルタ部３４は、Ｇｗ算出部３３から供給された画素ごとのＷ変換率Ｇｗを、フレーム画像Ｆ内で水平方向および垂直方向に平滑化する。これにより、後述するように、表示画像に緑色の領域と白色の領域がある場合において、その境界付近に輝線や暗線が生じた場合でも、それを目立ちにくくすることができるようになっている。
【００４１】
補間処理部２４は、画像信号Ｓｐ２３に含まれる各輝度情報ＩＷ２を、フレーム画像Ｆ内において、着目する画素の水平方向および垂直方向に並ぶ画素の輝度情報ＩＷ２を用いて補間するものである。具体的には、後述するように、補間処理部２４は、白色（Ｗ）のサブ画素ＳＰixに係る輝度情報ＩＷ２を、白色と同様に視感度の高い緑色（Ｇ）のサブ画素ＳＰixの位置に配置した輝度情報マップＭＡＰを生成し、その輝度情報マップＭＡＰに基づいて、白色（Ｗ）のサブ画素ＳＰixの位置における輝度情報ＩＷ３を生成する。そして、補間処理部２４は、このようにして生成した輝度情報ＩＷ３を、輝度情報ＩＲ２，ＩＧ２，ＩＢ２とともに、画像信号Ｓｐ２４として出力する。
【００４２】
このように補間処理を行うことにより、表示装置１では、後述するように、緑色の領域と白色の領域の境界付近に輝線や暗線が生じるおそれを低減することができるようになっている。
【００４３】
ガンマ変換部２５は、線形なガンマ特性を有する画像信号Ｓｐ２４を、ＥＬ表示部１３の特性に対応した非線形なガンマ特性を有する画像信号Ｓｐ１に変換するものである。このガンマ変換部２５は、ガンマ変換部２１と同様に、例えばルックアップテーブルを有しており、このルックアップテーブルを用いてこのようなガンマ変換を行うようになっている。
【００４４】
ここで、ＥＬ表示部１３は、本開示における「表示部」の一具体例に対応する。補間処理部２４は、本開示における「処理部」の一具体例に対応する。画像信号Ｓｐ２３に含まれる輝度情報ＩＷ２は、本開示における「第１の輝度情報」の一具体例に対応する。画像信号Ｓｐ２４に含まれる輝度情報ＩＷ３は、本開示における「第２の輝度情報」の一具体例に対応する。ＲＧＢＷ変換部２３は、本開示における「輝度情報生成部」の一具体例に対応する。画像信号Ｓｐ２２に含まれる輝度情報ＩＲ，ＩＧ，ＩＢは、本開示における「３つの第１の基本輝度情報」の一具体例に対応する。Ｗ変換率Ｇｗは、本開示における「発光率」の一具体例に対応する。画像信号Ｓｐ２３に含まれる輝度情報ＩＲ２，ＩＧ２，ＩＢ２は、本開示における「３つの第２の基本輝度情報」の一具体例に対応する。
【００４５】
［動作および作用］
続いて、本実施の形態の表示装置１の動作および作用について説明する。
【００４６】
（全体動作概要）
まず、図１などを参照して、表示装置１の全体動作概要を説明する。入力部１１は、外部機器から供給された画像信号に基づいて画像信号Ｓｐ０を生成する。ガンマ変換部２１は、入力された画像信号Ｓｐ０を、線形なガンマ特性を有する画像信号Ｓｐ２１に変換する。色域変換部２２は、画像信号Ｓｐ２１により表現される色域および色温度を、ＥＬ表示部１３の色域および色温度に変換することにより、画像信号Ｓｐ２２を生成する。ＲＧＢＷ変換部２３は、ＲＧＢ信号である画像信号Ｓｐ２２に基づいて、ＲＧＢＷ信号を生成し、画像信号Ｓｐ２３として出力する。補間処理部２４は、画像信号Ｓｐ２３に含まれる輝度情報ＩＷ２に対してフレーム画像Ｆ内において補間処理を行うことにより、画像信号Ｓｐ２４を生成する。ガンマ補正部２５は、線形なガンマ特性を有する画像信号Ｓｐ２４を、ＥＬ表示部１３の特性に対応した非線形なガンマ特性を有する画像信号Ｓｐ１に変換する。表示制御部１２は、画像信号Ｓｐ１に基づいて、ＥＬ表示部１３における表示動作のタイミング制御を行う。ＥＬ表示部１３は、表示制御部１２によるタイミング制御に基づいて表示動作を行う。
【００４７】
（ＲＧＢＷ変換部２３における処理について）
ＲＧＢＷ変換部２３において、乗算部３１は、輝度情報ＩＲ，ＩＧ，ＩＢに対してそれぞれ定数“１／Ｋｒ”，“１／Ｋｇ”，“１／Ｋｂ”を乗算し、最小値選択部３２は、その乗算結果のうちの最小のものをパラメータＩminとして選択する。Ｇｗ算出部３３は、このパラメータＩminに基づいて、図４に示したようなルックアップテーブルを用いてＷ変換率Ｇｗを求め、フィルタ部３４が、そのＷ変換率Ｇｗをフレーム画像Ｆ内において水平方向および垂直方向に平滑化してＷ変換率Ｇｗ２を生成する。そして、乗算部３５は、このパラメータＩminとＷ変換率Ｇｗ２とを乗算することにより、輝度情報ＩＷ２を生成する。
【００４８】
乗算部３６は、輝度情報ＩＷ２に対して定数Ｋｒ，Ｋｇ，Ｋｂを乗算する。減算部３７は、輝度情報ＩＲから、乗算部３６による乗算結果の１つ（ＩＷ２×Ｋｒ）を減算して輝度情報ＩＲ２を生成し、輝度情報ＩＧから、乗算部３６による乗算結果の１つ（ＩＷ２×Ｋｇ）を減算して輝度情報ＩＧ２を生成し、輝度情報ＩＢから、乗算部３６による乗算結果の１つ（ＩＷ２×Ｋｂ）を減算して輝度情報ＩＢ２を生成する。
【００４９】
以下に、フレーム画像Ｆの一例を用いて、ＲＧＢＷ変換部２３の処理の具体例を説明する。
【００５０】
図６は、表示するフレーム画像Ｆの一例を表すものである。このフレーム画像Ｆは、左上から右下にわたって緑色であり、その他の部分は白色である。このフレーム画像Ｆのうち、緑色の領域と白色の領域の境界部分Ｐ１，Ｐ２に対するＲＧＢＷ変換部２３の処理動作を以下に説明する。まず、境界部分Ｐ１について説明する。
【００５１】
図７は、境界部分Ｐ１におけるＷ変換率Ｇｗの一例を表すものである。この例では、境界ＢＬの左側では白色を表示しているため、Ｗ変換率Ｇｗは“１”である。すなわち、白色は、輝度情報ＩＲ，ＩＧ，ＩＢがそれぞれ高い値であることを意味し、これにより、パラメータＩminが高い値になる。よって、Ｇｗ算出部３３は、この高いパラメータＩminに基づいて、高いＷ変換率Ｇｗ（この例では“１”）を得る。一方、境界ＢＬの右側では緑色を表示しているため、Ｗ変換率Ｇｗは“０”である。すなわち、緑色は、輝度情報ＩＧが高く、輝度情報ＩＲ，ＩＢが低いことを意味し、これにより、パラメータＩminが低い値になる。よって、Ｇｗ算出部３３は、この低いパラメータＩminに基づいて、低いＷ変換率Ｇｗ（この例では“０”）を得る。
【００５２】
図８は、境界部分Ｐ１におけるＷ変換率Ｇｗ２の一例を表すものである。この例では、境界付近の画素Ｐixにおいて、Ｗ変換率Ｇｗ２が“１”と“０”との中間付近の値になっている。このように、フィルタ部３４は、Ｗ変換率Ｇｗをフレーム画像Ｆ内で平滑化してＷ変換率Ｇｗ２を求めることにより、Ｗ変換率Ｇｗ２がフレーム画像Ｆ内で急激に変化するのを抑えるように動作する。
【００５３】
図９は、境界部分Ｐ１における各サブ画素ＳＰixの輝度を表すものである。図９において、網掛けが施されたサブ画素ＳＰixは、発光していることを示す。白色を表示している左側のうち、Ｗ変換率Ｇｗ２（図８）が“１”である部分では、白色（Ｗ）のサブ画素ＳＰixが主に発光し、同様に、緑色を表示している右側のうち、Ｗ変換率Ｇｗ２（図８）が“０”である部分では、緑色（Ｇ）のサブ画素ＳＰixが主に発光している。一方、境界付近の画素Ｐixでは、Ｗ変換率ＧＷ２が“１”と“０”との中間付近の値であるため（図８）、白色（Ｗ）と緑色（Ｇ）のサブ画素ＳＰixがそれぞれ中程度の輝度で発光する。なお、図示していないが、この境界付近の画素Ｐixでは、赤色（Ｒ）と青色（Ｂ）のサブ画素ＳＰixについても、そのＷ変換率ＧＷ２に応じた輝度で発光する。
【００５４】
次に、境界部分Ｐ２について説明する。
【００５５】
図１０は、境界部分Ｐ２におけるＷ変換率Ｇｗの一例を表すものであり、図１１は、境界部分Ｐ２におけるＷ変換率Ｇｗ２の一例を表すものである。図１０に示したように、この例では、境界ＢＬの左側では緑色を表示しているため、Ｗ変換率Ｇｗは“０”であり、境界ＢＬの右側では白色を表示しているため、Ｗ変換率Ｇｗは“１”である。そして、図１１に示したように、境界付近の画素Ｐixにおいて、Ｗ変換率Ｇｗ２が“１”と“０”との中間付近の値になる。
【００５６】
図１２は、境界部分Ｐ２における各サブ画素ＳＰixの輝度を表すものである。境界ＢＬの左側のうち、Ｗ変換率Ｇｗ２（図１１）が“０”である部分では、緑色（Ｇ）のサブ画素ＳＰixが主に発光し、同様に、境界ＢＬの右側のうち、Ｗ変換率Ｇｗ２（図１１）が“１”である部分では、白色（Ｗ）のサブ画素ＳＰixが主に発光している。一方、境界付近の画素Ｐixでは、Ｗ変換率ＧＷ２が“１”と“０”との中間付近の値であるため（図１１）、白色（Ｗ）と緑色（Ｇ）のサブ画素ＳＰixがそれぞれ中程度の輝度で発光する。なお、図示していないが、この境界付近の画素Ｐixでは、赤色（Ｒ）と青色（Ｂ）のサブ画素ＳＰixについても、そのＷ変換率Ｇｗ２に応じた輝度で発光する。
【００５７】
このように、表示装置１では、パラメータＩminに基づいてＷ変換率Ｇｗを画素ごとに求めるとともに、そのＷ変換率Ｇｗをフレーム画像Ｆ内において平滑化している。これにより、緑色の領域と白色の領域との境界付近において、白色（Ｗ）のサブ画素ＳＰixと、緑色（Ｇ）のサブ画素ＳＰixとが、同程度の輝度で発光する。一方、白色の領域内では、白色（Ｗ）のサブ画素ＳＰixが主に発光し、緑色の領域内では、緑色（Ｇ）のサブ画素ＳＰixが主に発光する。すなわち、ＲＧＢＷ変換部２３は、Ｗ変換率Ｇｗを画素ごとに求め、そのＷ変換率Ｇｗをフレーム画像Ｆ内において平滑化することにより、等価的に、緑色の領域と白色の領域との境界を検出し、その境界付近において、白色（Ｗ）と緑色（Ｇ）のサブ画素ＳＰixを同程度の輝度で発光させるようにしている。これにより、以下に比較例と対比して説明するように、画質を高めることができる。
【００５８】
（比較例）
次に、比較例と対比して、本技術の効果を説明する。
【００５９】
図１３は、比較例に係るＲＧＢＷ変換部２３Ｒの一構成例を表すものである。ＲＧＢＷ変換部２３Ｒは、本実施の形態に係るＲＧＢＷ変換部２３（図３）からフィルタ部３４を省いたものである。この構成では、乗算部３５は、パラメータＩminと、Ｇｗ算出部３３が算出したＷ変換率Ｇｗとを乗算することにより、輝度情報ＩＷ２を生成する。
【００６０】
図１４は、境界部分Ｐ１における各サブ画素ＳＰixの輝度を表すものである。境界部分Ｐ１では、図１４に示したように、境界ＢＬの左側では、白色（Ｗ）のサブ画素ＳＰixが主に発光し、境界ＢＬの右側では、緑色（Ｇ）のサブ画素ＳＰixが主に発光している。白色（Ｗ）のサブ画素ＳＰixは、画素Ｐixのうちの右上に位置し、緑色（Ｇ）のサブ画素ＳＰixは、画素Ｐixのうちの左下に位置するため、このように境界ＢＬが左上から右下に延びる場合には、図１４に示したように、その境界ＢＬに沿って輝線ＬＢが生じてしまうおそれがある。
【００６１】
図１５は、境界部分Ｐ２における各サブ画素ＳＰixの輝度を表すものである。境界部分Ｐ２では、図１５に示したように、緑色を表示している左側では、緑色（Ｇ）のサブ画素ＳＰixが主に発光し、白色を表示している右側では、白色（Ｗ）のサブ画素ＳＰixが主に発光している。この場合には、図１５に示したように、その境界に沿って暗線ＬＤが生じてしまうおそれがある。
【００６２】
特に、白色と緑色は視感度が高い色であるため、図１４，１５のように輝線ＬＢや暗線ＬＤが生じた場合には、観察者に目立ちやすい。よって、このような画像を観察する観察者は、画質が悪いと感じるおそれがある。
【００６３】
また、例えば図１５に示した例では、境界ＢＬの左側では緑色（Ｇ）のサブ画素ＳＰixが主に発光し、境界ＢＬの右側では白色（Ｗ）のサブ画素ＳＰixが主に発光するため、これらが不連続な点として見えてしまい、画像の滑らかさが損なわれるおそれがある。
【００６４】
一方、本実施の形態に係るＲＧＢＷ変換部２３では、Ｗ変換率Ｇｗをフレーム画像Ｆ内において平滑化するようにしたので、緑色の領域と白色の領域との境界付近において、白色（Ｗ）のサブ画素ＳＰixと、緑色（Ｇ）のサブ画素ＳＰixとを、同程度の輝度で発光させることができる。これにより、図９，１２に示したように、境界付近で輝度が複数のサブ画素ＳＰixに分散されるため、輝線ＬＢや暗線ＬＤを目立ちにくくすることができ、画質を高めることができる。また、白色（Ｗ）と緑色（Ｇ）のサブ画素ＳＰixがともに発光するため、比較例の場合（図１５）と比較して、等価的に解像度が上がり、表示画像をより滑らかにすることができ、画質を高めることができる。
【００６５】
（補間処理部２４における補間処理について）
補間処理部２４は、画像信号Ｓｐ２３に含まれる輝度情報ＩＷ２をフレーム画像Ｆ内において補間する。以下にその補間処理について詳細に説明する。
【００６６】
図１６は、境界部分Ｐ１における輝度情報ＩＲ２，ＩＧ２，ＩＢ２，ＩＷ２のマップの一例を表すものである。この例では、説明の便宜上、ＲＧＢＷ変換部２３におけるフィルタ部３４は、平滑化処理を行わないものとする。また、網掛けが施された部分は、その輝度情報ＩＲ２，ＩＧ２，ＩＢ２，ＩＷ２の輝度レベルが高いことを示す。境界ＢＬの左側では、主に白色（Ｗ）の輝度情報ＩＷ２が高く、境界ＢＬの右側では、主に緑色（Ｇ）の輝度情報ＩＧ２が高い。以下に、位置ＰＰ１における輝度情報ＩＷ３の演算について説明する。
【００６７】
補間処理部２４は、まず、画像信号Ｓｐ２３に含まれる輝度情報ＩＲ２，ＩＧ２，ＩＢ２，ＩＷ２のうちの輝度情報ＩＷ２を抽出し、その輝度情報ＩＷ２に基づいて輝度情報マップＭＡＰを生成する。そしてこの輝度情報マップＭＡＰを用いて、輝度情報ＩＷ２について補間処理を行い、輝度情報ＩＷ３を求める。
【００６８】
図１７は、境界部分Ｐ１の位置ＰＰ１における補間処理を表すものである。この輝度情報マップＭＡＰにおいて、輝度情報ＩＷ２は、各画素Ｐix内の左下の位置（緑色（Ｇ）のサブ画素ＳＰixの位置）に配置される。すなわち、ある画素Ｐixについての４つの輝度情報ＩＲ２，ＩＧ２，ＩＢ２，ＩＷ２は、本来は、ともに、ある一点についての各色の輝度情報を示すものである。よって、この例では、赤色（Ｒ）、緑色（Ｇ）、および青色（Ｂ）の基本色のうちの一番視感度が高い色である緑色（Ｇ）のサブ画素ＳＰixの位置をその一点とし、その位置に、４つの輝度情報ＩＲ２，ＩＧ２，ＩＢ２，ＩＷ２が配置されるとみなしている。
【００６９】
補間処理部２４は、位置ＰＰ１の周辺の複数の輝度情報ＩＷ２に基づいて補間処理を行う。この例では、補間処理部２４は、各画素Ｐix内の左下の位置（緑色（Ｇ）のサブ画素ＳＰixの位置）に配置された、１６個（＝４×４）の輝度情報ＩＷ２に基づいて、位置ＰＰ１（白色（Ｗ）のサブ画素ＳＰixの位置）における輝度情報ＩＷ３を求める。補間方式としては、例えば、バイキュービック法を使用することができる。この補間処理により求められた、位置ＰＰ１における輝度情報ＩＷ３は、例えば中間調程度のレベルになる。
【００７０】
図１８は、境界部分Ｐ２の位置ＰＰ２における補間処理を表すものである。補間処理部２４は、境界部分Ｐ１の場合（図１７）と同様に、各画素Ｐix内の左下の位置（緑色（Ｇ）のサブ画素ＳＰixの位置）に配置された、１６個（＝４×４）の輝度情報ＩＷ２に基づいて、位置ＰＰ２（白色（Ｗ）のサブ画素ＳＰixの位置）における輝度情報ＩＷ３を求める。この補間処理により求められた、位置ＰＰ２における輝度情報ＩＷ３は、例えば中間調程度のレベルになる。
【００７１】
図１９は、境界部分Ｐ１における各サブ画素ＳＰixの輝度を表すものである。図１９において、網掛けが施されたサブ画素ＳＰixは、発光していることを示す。上述したように、補間処理により、位置ＰＰ１における輝度情報ＩＷ３が中間調程度のレベルになるため、輝線ＬＢの輝度が低下する。このように、補間処理を行うことにより、比較例の場合（図１４）に比べて、輝線ＬＢをより目立たなくすることができる。
【００７２】
図２０は、境界部分Ｐ２における各サブ画素ＳＰixの輝度を表すものである。上述したように、補間処理により、位置ＰＰ２における輝度情報ＩＷ３が中間調程度のレベルになるため、暗線ＬＤの輝度が上昇する。このように、補間処理を行うことにより、比較例の場合（図１５）に比べて、暗線ＬＤをより目立たなくすることができる。
【００７３】
表示装置１では、このように、補間処理部２４が補間処理を行うようにしたので、緑色の領域と白色の領域との境界付近において、輝線ＬＢの輝度を下げるとともに、暗線ＬＤの輝度を高めることができ、輝線ＬＢおよび暗線ＬＤをより目立たなくすることができる。さらに、ＲＧＢＷ変換部２３において、Ｗ変換率Ｇｗをフレーム画像Ｆ内において平滑化するようにしたので、白色（Ｗ）のサブ画素ＳＰixと、緑色（Ｇ）のサブ画素ＳＰixとが、同程度の輝度で発光させることができ、境界付近で輝度が複数のサブ画素ＳＰixに分散されるため、輝線ＬＢや暗線ＬＤをより目立たなくすることができる。
【００７４】
［効果］
以上のように本実施の形態では、白色の輝度情報に対して補間処理を行うようにしたので、緑色の領域と白色の領域との境界付近において、輝線および暗線をより目立たなくすることができ、画質を高めることができる。
【００７５】
本実施の形態では、Ｗ変換率を画素ごとに求め、そのＷ変換率をフレーム画像Ｆ内において平滑化するようにしたので、緑色の領域と白色の領域との境界付近において輝度が複数のサブ画素に分散されるため、輝線および暗線をより目立たなくすることができ、画質を高めることができる。
【００７６】
［変形例１−１］
上記実施の形態では、Ｇｗ算出部３３は、ルックアップテーブルを用いてＷ変換率Ｇｗを算出したが、これに限定されるものではなく、これに代えて、例えば、関数を用いてＷ変換率Ｇｗを算出してもよい。
【００７７】
＜２．第２の実施の形態＞
次に、第２の実施の形態に係る表示装置２について説明する。本実施の形態は、本技術の平滑化処理および補間処理を水平方向にのみ行うようにしたものである。なお、上記第１の実施の形態に係る表示装置１と実質的に同一の構成部分には同一の符号を付し、適宜説明を省略する。
【００７８】
図２１は、表示装置２の一構成例を表すものである。表示装置２は、入力部４１と、フレームレート変換部４２と、フィルタ４３と、画像分離部４４と、画像処理部５０と、表示制御部４６とを備えている。
【００７９】
入力部４１は、入力インターフェースであり、外部機器から供給された画像信号に基づいて画像信号Ｓｐ４１を生成し出力するものである。この例では、表示装置２に供給される画像信号は、毎秒６０フレームのプログレッシブ信号である。なお、供給される画像信号のフレームレートはこれに限定されるものではなく、これに代えて、例えば毎秒５０フレームであってもよい。
【００８０】
フレームレート変換部４２は、入力部４１から供給された画像信号Ｓｐ４１に基づいて、フレームレート変換を行うことにより画像信号Ｓｐ４２を生成するものである。このフレームレート変換は、この例では、毎秒６０フレームから毎秒１２０フレームへ、フレームレートを２倍に変換するものである。
【００８１】
図２２Ａはフレームレート変換前の映像を示し、図２２Ｂはフレームレート変換後の映像を示す。フレームレート変換は、時間軸上で隣り合う２つのフレーム画像Ｆに基づいて、時間軸上にフレーム補間処理を行うことによりフレーム画像Ｆｉを生成し、それらのフレーム画像Ｆの間にそのフレーム画像Ｆｉを挿入することにより行われる。ここで、フレーム画像Ｆ，Ｆｉは、ＥＬ表示部１３の画素数と同じ数の輝度情報からなる画像である。例えば、図２２Ａに示したように、ボール９が左から右へ移動する映像の場合では、図２２Ｂに示したように、互いに隣り合うフレーム画像Ｆの間にフレーム画像Ｆｉを挿入することにより、ボール９がより滑らかに移動するようになる。また、ＥＬ表示部１３では、画素の状態が１フレームの間保持し続けることに起因するいわゆるホールドぼやけが生じるが、このフレーム画像Ｆｉを挿入することによりその影響を低減することができる。
【００８２】
フィルタ４３は、画像信号Ｓｐ４２に含まれるフレーム画像Ｆ，Ｆｉに対して、画素ごとの輝度情報をライン間で平滑化してフレーム画像Ｆ２，Ｆｉ２をそれぞれ生成し、画像信号Ｓｐ４３として出力するものである。具体的には、フィルタ４３は、この例では３タップのＦＩＲ（Finite impulse response）フィルタにより構成されるものである。以下、フレーム画像Ｆに対して平滑化を行う場合を例に説明する。なお、フレーム画像Ｆｉに対して平滑化を行う場合も同様である。
【００８３】
図２３は、フィルタ４３の動作を表すものである。各タップのフィルタ係数は、この例では、１：２：１の比率に設定している。フィルタ４３は、フレーム画像Ｆにおける互いに隣接する３つのラインの輝度情報に対して平滑化を行い、１ライン分の輝度情報を生成する。具体的には、フィルタ４３は、例えば、３つのラインＬ(n-1)，Ｌ(n)，Ｌ(n+1)の輝度情報に対して、それぞれ１：２：１の重み付けを行い、フレーム画像Ｆ２のライン画像Ｌ(n)を生成する。同様に、フィルタ４３は、３つのライン画像Ｌ(n)，Ｌ(n+1)，Ｌ(n+2)の輝度情報に対して、それぞれ１：２：１の重み付けを行い、フレーム画像Ｆ２のライン画像Ｌ(n+1)を生成する。このようにして、フィルタ４３は、フレーム画像Ｆを平滑化してフレーム画像Ｆ２を生成する。
【００８４】
画像分離部４４は、画像信号Ｓｐ４３に含まれるフレーム画像Ｆ２から画像Ｆ３を分離するとともに、画像信号Ｓｐ４３に含まれるフレーム画像Ｆｉ２から画像Ｆｉ３を分離して、画像信号Ｓｐ４４として出力するものである。
【００８５】
図２４Ａは、フレーム画像Ｆ２から画像Ｆ３を分離する動作を示し、図２４Ｂはフレーム画像Ｆｉ２から画像Ｆｉ３を分離する動作を示す。画像分離部４４は、図２４Ａに示したように、画像信号Ｓｐ４３に含まれるフレーム画像Ｆ２から奇数ラインのライン画像Ｌを分離して、この奇数ラインのライン画像Ｌからなる画像Ｆ３を生成する。すなわち、画像Ｆ３は、フレーム画像Ｆ２における１ライン目のライン画像Ｌ１、３ライン目のライン画像Ｌ３、５ライン目のライン画像Ｌ５などから構成されるものである。この画像Ｆ３のライン数は、フレーム画像Ｆ２のライン数の半分である。同様に、画像分離部４４は、図２４Ｂに示したように、画像信号Ｓｐ４３に含まれるフレーム画像Ｆｉ２から偶数ラインのライン画像Ｌを分離して、この偶数ラインのライン画像Ｌからなる画像Ｆｉ３を生成する。すなわち、画像Ｆｉ３は、フレーム画像Ｆｉ２における２ライン目のライン画像Ｌ２、４ライン目のライン画像Ｌ４、６ライン目のライン画像Ｌ６などから構成されるものである。この画像Ｆｉ３のライン数は、フレーム画像Ｆｉ２のライン数の半分である。
【００８６】
また、画像分離部４４は、このように画像Ｆ３，Ｆｉ３を分離生成する際、その生成した画像が、画像Ｆ３，Ｆｉ３のどちらであるかを示す判別信号ＳＤを生成する機能も有している。すなわち、判別信号ＳＤは、画像分離部４４が生成した画像が、フレーム画像Ｆ２の奇数ラインのライン画像Ｌからなる画像Ｆ３であるか、もしくはフレーム画像Ｆｉ２の偶数ラインのライン画像Ｌからなる画像Ｆｉ３であるかを示すものである。
【００８７】
画像処理部５０は、画像信号Ｓｐ４４に基づいて、上記実施の形態に係る画像処理部２０と同様に、ＲＧＢＷ変換処理や、補間処理などの所定の画像処理を行い、画像信号Ｓｐ４５として出力するものである。具体的には、画像処理部５０は、画像信号Ｓｐ４４に含まれる画像Ｆ３に対してこの所定の画像処理を行うことにより画像Ｆ４を生成するとともに、画像信号Ｓｐ４４に含まれる画像Ｆｉ３に対してこの所定の画像処理を行うことにより画像Ｆｉ４を生成し、これらを画像信号Ｓｐ４５として出力するようになっている。画像処理部５０は、図１に示したように、ＲＧＢＷ変換部５３と、補間処理部５４とを有している。
【００８８】
ＲＧＢＷ変換部５３は、図３に示したようにフィルタ部３４Ｂを有している。フィルタ部３４Ｂは、Ｇｗ算出部３３から供給された画素ごとのＷ変換率Ｇｗを、フレーム画像内で水平方向に平滑化し、画素ごとのＷ変換率Ｇｗ２として出力するものである。すなわち、上記第１の実施の形態に係るフィルタ部３４は、Ｗ変換率Ｇｗを、フレーム画像内で水平方向および垂直方向に平滑化したが、本実施の形態に係るフィルタ部３４Ｂは、フレーム画像内で水平方向にのみ平滑化している。
【００８９】
補間処理部５４は、画像信号Ｓｐ２３に含まれる各輝度情報ＩＷ２を、フレーム画像Ｆ内において、着目する画素の水平方向に並ぶ画素の輝度情報ＩＷ２を用いて補間するものである。すなわち、上記第１の実施の形態に係る補間処理部２４は、画像信号Ｓｐ２３に含まれる各輝度情報ＩＷ２を、着目する画素の水平方向および垂直方向に並ぶ画素の輝度情報ＩＷ２を用いて補間したが、本実施の形態に係る補間処理部５４は、着目する画素の水平方向に並ぶ画素の輝度情報ＩＷ２を用いて補間するものである。
【００９０】
表示制御部４６は、画像信号Ｓｐ４５および判別信号ＳＤに基づいて、ＥＬ表示部１３における表示動作のタイミング制御を行うものである。具体的には、表示制御部４６は、画像信号Ｓｐ４５に含まれる画像Ｆ４，Ｆｉ４に基づいてＥＬ表示部１３を制御する際、判別信号ＳＤに従って、画像Ｆ４，Ｆｉ４とで異なる走査駆動を行うように制御する。
【００９１】
図２５Ａは、画像Ｆ４を表示する場合の表示制御部４６の制御動作を模式的に表すものであり、図２５Ｂは画像Ｆｉ４を表示する場合の表示制御部４６の制御動作を模式的に表すものである。表示制御部４６は、まず、判別信号ＳＤに基づいて、画像信号Ｓｐ４５により供給されている画像が画像Ｆ４，Ｆｉ４のどちらであるかを判別する。そして、画像Ｆ４が供給されていると判別した場合には、表示制御部４６は、図２５Ａに示したように、ライン画像Ｌ１を、ＥＬ表示部１３の１，２ライン目に、同じ水平期間内に書き込み、ライン画像Ｌ３を、ＥＬ表示部１３の３，４ライン目に、同じ水平期間内に書き込み、その他のライン画像についても同様に書き込むように制御を行う。すなわち、表示制御部４６は、ＥＬ表示部１３において２ラインごと（駆動単位ＤＵごと）に走査するように制御する。また、画像Ｆｉ４が供給されていると判別した場合には、表示制御部４６は、図２５Ｂに示したように、ＥＬ表示部１３の１ライン目に、例えば黒情報（輝度情報が０）を書き込み、ライン画像Ｌ２を、ＥＬ表示部１３の２，３ライン目に、同じ水平期間内に書き込み、ライン画像Ｌ４を、ＥＬ表示部１３の４，５ライン目に、同じ水平期間内に書き込み、その他のライン画像についても同様に書き込むように制御を行う。すなわち、表示制御部４６は、ＥＬ表示部１３において２ラインごと（駆動単位ＤＵｉごと）に走査するように制御する。
【００９２】
その際、表示制御部４６は、図２５Ａ，２５Ｂに示したように、画像Ｆ４を表示する際の駆動単位ＤＵと、画像Ｆｉ４を表示する際の駆動単位ＤＵｉとをずらすように制御する。すなわち、駆動単位ＤＵは、例えばＥＬ表示部１３の１，２ライン目であり、駆動単位ＤＵｉは、例えばＥＬ表示部１３の２，３ライン目であるため、互いに１ラインずれている。これにより、表示装置２では、垂直方向の解像度の低下を抑えるようになっている。
【００９３】
図２６は、表示装置２の詳細動作を模式的に表すものであり、（Ａ）は画像信号Ｓｐ４１に含まれるフレーム画像Ｆを示し、（Ｂ）は画像信号Ｓｐ４２に含まれるフレーム画像Ｆ，Ｆｉを示し、（Ｃ）は画像信号Ｓｐ４３に含まれるフレーム画像Ｆ２，Ｆｉ２を示し、（Ｄ）は画像信号Ｓｐ４４に含まれる画像Ｆ３，Ｆｉ３を示し、（Ｅ）はＥＬ表示部１３における表示画像Ｄ，Ｄｉを示す。ここで、例えば、Ｆ(n)は、ｎ番目のフレーム画像Ｆを示し、Ｆ(n+1)は、そのフレーム画像Ｆ(n)の次に供給される、（ｎ＋１）番目のフレーム画像Ｆを示す。また、フレーム画像Ｆは、周期Ｔ（例えば、１６．７［ｍｓｅｃ］＝１／６０［Ｈｚ］）で供給される。
【００９４】
まず、フレームレート変換部４２は、図２６（Ｂ）に示したように、画像信号Ｓｐ４１のフレームレートを２倍に変換する。具体的には、フレームレート変換部４２は、例えば、画像信号Ｓｐ４１に含まれる、時間軸上で隣り合うフレーム画像Ｆ(n)，Ｆ(n+1)（図２６（Ａ））に基づいて、フレーム補間処理によりフレーム画像Ｆｉ(n)を生成する（図２６（Ｂ））。そして、フレームレート変換部４２は、このフレーム画像Ｆｉ(n)を、フレーム画像Ｆ(n)，Ｆ(n+1)の間に挿入する。
【００９５】
次に、フィルタ４３は、図２６（Ｃ）に示したように、フレーム画像Ｆ，Ｆｉにおける輝度情報をライン間で平滑化してフレーム画像Ｆ２，Ｆｉ２をそれぞれ生成する。具体的には、フィルタ４３は、例えば、フレーム画像Ｆ(n)（図２６（Ｂ））に対して平滑化を行うことによりフレーム画像Ｆ２(n)を生成するとともに（図２６（Ｃ））、フレーム画像Ｆｉ(n) （図２６（Ｂ））に対して平滑化を行うことによりフレーム画像Ｆｉ２(n)を生成する（図２６（Ｃ））。
【００９６】
次に、画像分離部４４は、図２６（Ｄ）に示したように、フレーム画像Ｆ２における奇数ラインのライン画像Ｌを分離するとともに、フレーム画像Ｆｉ２における偶数ラインのライン画像Ｌを分離する。具体的には、画像分離部４４は、例えば、フレーム画像Ｆ２(n) （図２６（Ｃ））における奇数ラインのライン画像Ｌ１，Ｌ３，Ｌ５，…を分離してフレーム画像Ｆ３(n)を生成し（図２６（Ｄ））、フレーム画像Ｆｉ２(n) （図２６（Ｃ））における偶数ラインのライン画像Ｌ２，Ｌ４，Ｌ６，…を分離してフレーム画像Ｆｉ３(n)を生成する（図２６（Ｄ））。
【００９７】
次に、画像処理部５０は、このフレーム画像Ｆ３，Ｆｉ３に対して所定の画像処理を行うことによりフレーム画像Ｆ４，Ｆｉ４をそれぞれ生成する（図２６（Ｄ））。
【００９８】
そして、表示制御部４６は、図２６（Ｅ）に示したように、フレーム画像Ｆ４，Ｆｉ４および判別信号ＳＤに基づいて、ＥＬ表示部１３での表示動作を制御する。具体的には、表示制御部４６は、例えば、判別信号ＳＤおよび奇数ラインのライン画像Ｌ１，Ｌ３，Ｌ５を含む画像Ｆ４(n) （図２６（Ｄ））に基づいてライン画像Ｌ１を、ＥＬ表示部１３の１，２ライン目に、同じ水平期間内に書き込み、ライン画像Ｌ３を、ＥＬ表示部１３の３，４ライン目に、同じ水平期間内に書き込み、その他のライン画像についても同様に書き込むように制御を行い、ＥＬ表示部１３は、その制御に基づいて表示画像Ｄ(n)を表示する（図２６（Ｅ））。同様に、表示制御部４６は、例えば、判別信号ＳＤおよび偶数ラインのライン画像Ｌ２，Ｌ４，Ｌ６を含む画像Ｆｉ４(n) （図２６（Ｄ））に基づいて、ＥＬ表示部１３の１ライン目に、例えば黒情報（輝度情報が０）を書き込み、ライン画像Ｌ２を、ＥＬ表示部１３の２，３ライン目に、同じ水平期間内に書き込み、ライン画像Ｌ４を、ＥＬ表示部１３の４，５ライン目に、同じ水平期間内に書き込み、その他のライン画像についても同様に書き込むように制御を行い、ＥＬ表示部１３は、その制御に基づいて表示画像Ｄｉ(n)を表示する（図２６（Ｅ））。
【００９９】
このようにして、表示装置２では、フレーム画像Ｆの奇数ラインのライン画像Ｌに基づいて、２ラインごとに走査駆動が行われ、表示画像Ｄが表示されるとともに、フレーム補間処理により生成されたフレーム画像Ｆｉの偶数ラインのライン画像Ｌに基づいて、フレーム画像Ｆに係る走査駆動と１ラインずらして、２ラインごとの走査駆動が行われ、表示画像Ｄｉが表示される。そして、表示画像Ｄおよび表示画像Ｄｉは、交互に表示される。これにより、観察者は、表示画像Ｄ，Ｄｉの平均画像を観察することとなる。
【０１００】
その際、表示装置２では、２ラインごとに走査駆動を行うようにしたので、例えば、ＥＬ表示部１３として高精細のものを用いた場合でも、各水平期間の時間の長さを確保できるため、画質の低下を抑えることができる。すなわち、例えば１ラインごとに走査駆動を行った場合には、表示部が高精細であるほど水平期間が短くなるため、十分に水平期間を確保できないため、画質が低下するおそれがある。一方、表示装置２では、２ラインごとに走査駆動を行うようにしたので、水平期間をより長く確保することができるため、画質が低下するおそれを低減することができる。
【０１０１】
また、表示装置２では、駆動単位ＤＵ，ＤＵｉをずらし、互いに１ラインずれた表示画像Ｄと表示画像Ｄｉとを、交互に表示するようにしたので、解像度の低下を抑えることができる。
【０１０２】
以上のように本実施の形態では、２ラインごとに走査駆動を行うようにしたので、各水平期間の時間の長さを確保できるため、画質の低下を抑えることができる。
【０１０３】
また、本実施の形態では、駆動単位ＤＵ，ＤＵｉをずらすようにしたので、互いに１ラインずれた表示画像Ｄと表示画像Ｄｉとを交互に表示するため、解像度の低下を抑えることができ、画質の低下を抑えることができる。
【０１０４】
また、本実施の形態では、ＲＧＢＷ変換部における平滑化処理、および補間処理部における補間処理を水平方向にのみ行うようにしたので、上記第１の実施の形態の場合と同様に、画質を高めることができる。
【０１０５】
＜３．適用例＞
次に、上記実施の形態および変形例で説明した表示装置の適用例について説明する。
【０１０６】
図２７は、上記実施の形態等の表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る表示装置により構成されている。
【０１０７】
上記実施の形態等の表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示装置は、映像を表示するあらゆる分野の電子機器に適用することが可能である。
【０１０８】
以上、いくつかの実施の形態および変形例、ならびに電子機器への適用例を挙げて本技術を説明したが、本技術はこれらの実施の形態等には限定されず、種々の変形が可能である。
【０１０９】
例えば、上記第１の実施の形態等では、フィルタ部３４は、Ｗ変換率Ｇｗを、フレーム画像内で水平方向および垂直方向に平滑化したが、これに限定されるものではない。例えば、これに代えて、水平方向および垂直方向に平滑化するモードと、水平方向に平滑化するモードと、垂直方向に平滑化するモードを備え、これらのモードのうちから１つを選択可能に構成してもよい。
【０１１０】
同様に、例えば、上記第１の実施の形態等では、補間処理部２４は、画像信号Ｓｐ２３に含まれる各輝度情報ＩＷ２を、着目する画素の水平方向および垂直方向に並ぶ画素の輝度情報ＩＷ２を用いて補間したが、これに限定されるものではない。例えば、これに代えて、水平方向および垂直方向に並ぶ画素の輝度情報ＩＷ２を用いて補間するモードと、水平方向に並ぶ画素の輝度情報ＩＷ２を用いて補間するモードと、垂直方向に並ぶ画素の輝度情報ＩＷ２を用いて補間するモードとを備え、これらのモードのうちの１つを選択可能に構成してもよい。
【０１１１】
また、上記実施の形態等では、画素アレイ部９３の各画素Ｐixにおいて、視感度の高い白色（Ｗ）と緑色（Ｇ）のサブ画素ＳＰixを斜め方向に並ぶように配置したが、これに限定されるものではない。これに代えて、例えば、図２８に示したように、白色（Ｗ）と緑色（Ｇ）のサブ画素ＳＰixを垂直方向（縦方向）に並ぶように配置してもよい。この変形例に係る画素アレイ部９３Ｃでは、各画素Ｐixにおいて、左上に赤色（Ｒ）のサブ画素ＳＰixを配置し、左下に青色（Ｂ）のサブ画素ＳＰixを配置し、右上に白色（Ｗ）のサブ画素ＳＰixを配置し、右下に緑色（Ｇ）のサブ画素ＳＰixを配置している。また、例えば、図２９に示したように、白色（Ｗ）と緑色（Ｇ）のサブ画素ＳＰixを水平方向（横方向）に並ぶように配置してもよい。この変形例に係る画素アレイ部９３Ｄでは、各画素Ｐixにおいて、左上に青色（Ｂ）のサブ画素ＳＰixを配置し、左下に緑色（Ｇ）のサブ画素ＳＰixを配置し、右上に赤色（Ｒ）のサブ画素ＳＰixを配置し、右下に白色（Ｗ）のサブ画素ＳＰixを配置している。
【０１１２】
また、上記実施の形態等では、画素Ｐixにおいて、これらの４つのサブ画素ＳＰixを２行２列で配置したが、これに限定されるものではなく、図３０に示したように、垂直方向（縦方向）に延伸する４つのサブ画素ＳＰixを水平方向（横方向）に並設してもよい。この変形例に係る画素アレイ部９３Ｅでは、画素Ｐixにおいて、左から、赤色（Ｒ）、緑色（Ｇ）、青色（Ｂ）、白色（Ｗ）のサブ画素ＳＰixを順に配置している。
【０１１３】
また、例えば、上記の各実施の形態等では、本技術をＥＬ表示装置に適用したが、これに限定されるものではなく、これに代えて、例えば、液晶表示装置に適用してもよい。
【０１１４】
なお、本技術は以下のような構成とすることができる。
【０１１５】
（１）基本色光を発する第１のサブ画素、第２のサブ画素、および第３のサブ画素と、前記基本色光以外の色光を発する第４のサブ画素とを含む表示画素を複数有する表示部と、
複数の前記表示画素のうちの注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、前記注目画素の前記第４のサブ画素に対応する第１の輝度情報を、前記第２の輝度情報に置換する処理部と
を備えた表示装置。
【０１１６】
（２）前記処理部は、前記画素領域における前記第１の輝度情報を、前記第１のサブ画素の位置にそれぞれ配置した輝度情報マップを生成し、その輝度情報マップに基づいて前記注目画素の前記第４のサブ画素の位置における前記第２の輝度情報を補間により求める
前記（１）に記載の表示装置。
【０１１７】
（３）各表示画素の前記第１のサブ画素、前記第２のサブ画素、および前記第３のサブ画素にそれぞれ対応する３つの第１の基本輝度情報に基づいて、その表示画素の前記第４のサブ画素における発光率を求め、その発光率および前記３つの第１の基本輝度情報に基づいて、その表示画素における前記第１の輝度情報を求める輝度情報生成部をさらに備えた、
前記（１）または（２）に記載の表示装置。
【０１１８】
（４）前記輝度情報生成部は、前記３つの第１の基本輝度情報のうちの最小輝度情報に基づいて、前記発光率を求める
前記（３）に記載の表示装置。
【０１１９】
（５）前記発光率は、前記最小輝度情報の輝度レベルが低い場合には低く、前記最小輝度情報の輝度レベルが高い場合には高い
前記（４）に記載の表示装置。
【０１２０】
（６）前記輝度情報生成部は、前記発光率を表示画素間で平滑化し、その平滑化された発光率、および前記３つの第１の基本輝度情報に基づいて前記第１の輝度情報を求める
前記（３）から（５）のいずれかに記載の表示装置。
【０１２１】
（７）前記輝度情報生成部は、前記発光率および３つの前記第１の基本輝度情報に基づいて、３つの前記第１の基本輝度情報に対応する３つの第２の基本輝度情報を生成する
前記（３）から（６）のいずれかに記載の表示装置。
【０１２２】
（８）前記第１のサブ画素が発する色光に対する視感度は、前記第２のサブ画素が発する色光に対する視感度と同程度またはそれ以上であるとともに、前記第３のサブ画素が発する色光に対する視感度と同程度またはそれ以上である
前記（１）から（７）のいずれかに記載の表示装置。
【０１２３】
（９）前記第１のサブ画素、前記第２のサブ画素、および前記第３のサブ画素は、緑色、赤色、および青色の色光をそれぞれ発し、
前記第４のサブ画素が発する色光に対する視感度は、前記第１のサブ画素が発する緑色の色光に対する視感度と同程度またはそれ以上である
前記（１）から（８）のいずれかに記載の表示装置。
【０１２４】
（１０）前記第４のサブ画素は白色の色光を発する
前記（９）に記載の表示装置。
【０１２５】
（１１）基本色光を発する第１のサブ画素、第２のサブ画素、および第３のサブ画素と、前記基本色光以外の色光を発する第４のサブ画素とを含む表示画素を複数有する表示部における、注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、前記注目画素の前記第４のサブ画素に対応する第１の輝度情報を、前記第２の輝度情報に置換する処理部を備えた
画像処理装置。
【０１２６】
（１２）基本色光を発する第１のサブ画素、第２のサブ画素、および第３のサブ画素と、前記基本色光以外の色光を発する第４のサブ画素とを含む表示画素を複数有する表示部における、注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、
前記注目画素の前記第４のサブ画素に対応する第１の輝度情報を、前記第２の輝度情報に置換する
画像処理方法。
【０１２７】
（１３）表示装置と
前記表示装置に対して動作制御を行う制御部と
を備え、
前記表示装置は、
基本色光を発する第１のサブ画素、第２のサブ画素、および第３のサブ画素と、前記基本色光以外の色光を発する第４のサブ画素とを含む表示画素を複数有する表示部と、
複数の前記表示画素のうちの注目画素が属する画素領域に含まれる複数の前記第４のサブ画素に対応する複数の第１の輝度情報、および前記表示画素における前記第１のサブ画素と前記第４のサブ画素との相対的な位置関係に基づいて、前記注目画素の前記第４のサブ画素に対応する第２の輝度情報を求め、前記注目画素の前記第４のサブ画素に対応する第１の輝度情報を、前記第２の輝度情報に置換する処理部と
を有する
電子機器。
【符号の説明】
【０１２８】
１，２…表示装置、１１…入力部、１２…表示制御部、１３…ＥＬ表示部、２０，５０…画像処理部、２１…ガンマ変換部、２２…色域変換部、２３，５３…ＲＧＢＷ変換部、２４，５４…補間処理部、２５…ガンマ変換部、３１…乗算部、３２…最小値選択部、３３…Ｇｗ算出部、３４…フィルタ部、３５…乗算部、３６…乗算部、３７…減算部、４１…入力部、４２…フレームレート変換部、４３…フィルタ、４４…画像分離部、４６…表示制御部、９１…垂直駆動部、９２…水平駆動部、９３，９３Ｃ，９３Ｄ，９３Ｅ…画素アレイ部、Ｄ，Ｄｉ…表示画像、ＤＵ，ＤＵｉ…駆動単位、Ｆ，Ｆｉ，Ｆ２，Ｆｉ２…フレーム画像、Ｆ３，Ｆｉ３，Ｆ４，Ｆｉ４…画像、ＧＣＬ…ゲート線、Ｇｗ，Ｇｗ２…Ｗ変換率、Ｉmin…パラメータ、ＩＲ，ＩＧ，ＩＢ，ＩＲ２，ＩＧ２，ＩＢ２，ＩＷ２，ＩＷ３…輝度情報、Ｌ１〜Ｌ６，Ｌ(n-1)，Ｌ(n)，Ｌ(n+1)…ライン画像、ＭＡＰ…輝度情報マップ、ＳＤ…判別信号、ＳＧＬ…データ線、Ｓｐ０，Ｓｐ１，Ｓｐ２１〜Ｓｐ２４…画像信号。
【図１】
2014134731.tif 000003
【図２】
2014134731.tif 000004
【図３】
2014134731.tif 000005
【図４】
2014134731.tif 000006
【図５Ａ】
2014134731.tif 000007
【図５Ｂ】
2014134731.tif 000008
【図６】
2014134731.tif 000009
【図７】
2014134731.tif 000010
【図８】
2014134731.tif 000011
【図９】
2014134731.tif 000012
【図１０】
2014134731.tif 000013
【図１１】
2014134731.tif 000014
【図１２】
2014134731.tif 000015
【図１３】
2014134731.tif 000016
【図１４】
2014134731.tif 000017
【図１５】
2014134731.tif 000018
【図１６】
2014134731.tif 000019
【図１７】
2014134731.tif 000020
【図１８】
2014134731.tif 000021
【図１９】
2014134731.tif 000022
【図２０】
2014134731.tif 000023
【図２１】
2014134731.tif 000024
【図２２Ａ】
2014134731.tif 000025
【図２２Ｂ】
2014134731.tif 000026
【図２３】
2014134731.tif 000027
【図２４Ａ】
2014134731.tif 000028
【図２４Ｂ】
2014134731.tif 000029
【図２５Ａ】
2014134731.tif 000030
【図２５Ｂ】
2014134731.tif 000031
【図２６】
2014134731.tif 000032
【図２７】
2014134731.tif 000033
【図２８】
2014134731.tif 000034
【図２９】
2014134731.tif 000035
【図３０】
2014134731.tif 000036